(57)【要約】【課題】ドレン中和器を、容易に、かつ、的確に、燃焼装置の近傍位置に固定する。【解決手段】ケース４０内にバーナの排気潜熱を回収する潜熱回収用熱交換器が設けられている給湯器１７のケース４０のフロントパネル２１に、前記潜熱回収用熱交換器で発生するドレンを中和するドレン中和器３の取り付け部材３６を固定する。取り付け部材３６は、ケース４０の下部側の位置において該ケース４０のフロントパネル２１の面に沿って左右方向に配設し、その先端側をケース４０の左右いずれかの方向にケース４０からはみ出して伸設し、該はみ出し伸設部位３７にドレン中和器３を固定する。【選択図】図１
2008275296.tif 000002
【特許請求の範囲】
【請求項１】
ケース内にバーナの排気潜熱を回収する潜熱回収用熱交換器が設けられている燃焼装置の前記ケースの前面に、前記潜熱回収用熱交換器で発生するドレンを中和するドレン中和器の取り付け部材が固定され、該取り付け部材は前記ケースの下部側の位置において該ケースの前面に沿って左右方向に配設されてその先端側は前記ケースの左右いずれかの方向にケースからはみ出して伸設され、該はみ出し伸設部位に前記ドレン中和器が固定されていることを特徴とするドレン中和器の固定構造。
【請求項２】
ドレン中和器には該ドレン中和器を取り付け部材に係止する係止部を備えた中和器固定板が固定され、該中和器固定板の前記係止部を前記取り付け部材に係止した状態で前記ドレン中和器が取り付け部材に固定されていることを特徴とする請求項１記載のドレン中和器の固定構造。
【請求項３】
燃焼装置は浴室壁に形成された壁穴に設置されて該燃焼装置のケース前面側が前記浴室壁から浴室内に突出した状態で露出して配置されているものであり、ドレン中和器の取り付け部材は、その途中部が前記燃焼装置の設置されている浴室壁の壁穴形成壁面側に向けて折曲され、その折曲先端側は前記燃焼装置のケース前面よりも前記壁穴形成壁面側に近づいた引っ込み位置で該壁面に沿って伸設された壁面沿設部位と成し、該壁面沿設部位に前記ドレン中和器が取り付けられていることを特徴とする請求項１または請求項２記載のドレン中和器の固定構造。
【請求項４】
はみ出し伸設部位の先端部には、該先端部から先にドレン中和器が移動することを防止するストッパが設けられていることを特徴とする請求項１または請求項２または請求項３記載のドレン中和器の固定構造。
【請求項５】
はみ出し伸設部位の下方側に伸延されて該はみ出し伸設部位を浴室床面に支持する支持部材が設けられており、該支持部材の前記浴室床面に当接する下端部には前記支持部材が浴室床面上で滑ることを防止する滑り防止部材が設けられていることを特徴とする請求項１乃至請求項４のいずれか一つに記載のドレン中和器の固定構造。
【請求項６】
浴室壁に壁穴が形成され、該壁穴に燃焼装置が設置されて該燃焼装置のケース前面側は浴室内に露出させて配置され、前記ケース前面側を塞ぐ態様で浴槽が該ケース前面に近接して配置されており、請求項１乃至請求項５のいずれか一つに記載のドレン中和器の固定構造により前記燃焼装置に固定されたドレン中和器が前記浴槽と浴室壁面とにより形成されるデッドスペースに配置されていることを特徴とする浴室構造。
【発明の詳細な説明】
【技術分野】
【０００１】
本発明は、潜熱回収用熱交換器で発生するドレンを中和するドレン中和器の固定構造とその固定構造を用いた浴室構造に関するものである。
【背景技術】
【０００２】
浴室の構造には様々なものがあるが、その代表例として、例えば図１９に示すような浴室がある。このような浴室３０は、比較的古いタイプの浴室であり、浴槽２６内の湯水の加熱には、バランス風呂釜５０等の燃焼装置が用いられ、浴室３０の外壁３９に形成された壁穴２２に、バランス風呂釜５０の給排気筒４９が設置されている。（例えば、特許文献１、参照。）。
【０００３】
ところで、風呂釜や給湯器等の燃焼装置は、その寿命が住宅の寿命よりも短いために買い換えることが行われ、近年では、燃焼装置として、潜熱回収用熱交換器を備えた、より効率の高い燃焼装置を適用することが多くなってきている。このような効率の高い燃焼装置を適用すると、環境問題やエネルギー問題を少しでも緩和できるという利点がある。なお、前記潜熱回収用熱交換器は、周知の通り、バーナの排気潜熱を回収する熱交換器であり、バーナの顕熱を回収するメインの熱交換器と共に、燃焼装置のケース内に設けられる。
【０００４】
図１８は、図１９におけるバランス風呂釜５０の代わりに、燃焼装置として、潜熱回収用熱交換器を備えた自動湯張り機能付きの給湯器１７を適用する場合の浴室構造の例であり、給湯器１７を、前記給排気筒４９の代わりに浴室３０の壁穴２２に設置している。このようにすると、燃焼効率を高くできるというメリットと、前記バランス風呂釜５０の配設スペースの分だけ浴槽２６を広くできるメリットとの両方を活かすことができる。
【０００５】
【特許文献１】特開平１０−３００２４１号公報
【発明の開示】
【発明が解決しようとする課題】
【０００６】
しかしながら、潜熱回収用熱交換器を備えた燃焼装置においては、該潜熱回収用熱交換器で発生する酸性のドレン（凝縮水の水滴）を回収し、中和して、燃焼装置のケース外部に排出しなければならないが、例えばマンション等の集合住宅等では、浴室３０の外壁３９がベランダ等の共有部分に面していることが多く、液状のドレンを燃焼装置のケースの下部側に流出させてベランダ等に流出させると、利用者は非常に不快な思いをすることになる。また、前記壁穴２２に燃焼装置を配置するためには、燃焼装置の大きさが限られてしまい、燃焼装置内にドレン中和器を設けることは難しい。
【０００７】
そこで、例えば図１８の鎖線に示すように、ドレンを中和するためのドレン中和器３を浴室３０内に配置し、給湯器１７の近傍に設けて給湯器１７から流出するドレンを、ドレン中和器３を介して浴室３０の排水口（浴室排水口１５）に導くことが考えられる。
【０００８】
しかしながら、ドレン中和器３を浴室壁面にねじ等により固定すると、ねじ等を誤って防水パンに打ってしまった場合に、防水パンから水漏れが生じるおそれがある。また、給湯器１７等の燃焼装置で発生したドレンをドレン中和器３に的確に導くためには、ドレン中和器３のドレン導入口を燃焼装置のドレン排出口よりも下側に設けなくてはならないために、ドレン中和器３の取り付け位置にも制約がある。したがって、浴室壁面にドレン中和器３を取り付けるには、その位置決めも容易でない。さらに、給湯器１７等の燃焼装置で発生したドレンをドレン中和器３に導くための、ドレンホース等の接続路を適切な長さとして接続しなければならないために、この接続路の配置や手間にも手間がかかるといった問題が生じる。
【０００９】
本発明は、上記課題を解決するために成されたものであり、その目的は、ドレン中和器を、容易に、かつ、的確に、燃焼装置の近傍位置に固定することができるドレン中和器の固定構造とその固定構造を用いた浴室構造を提供することにある。
【課題を解決するための手段】
【００１０】
上記目的を達成するために、本発明は次のような構成をもって課題を解決するための手段としている。すなわち、第１の発明のドレン中和器の固定構造は、ケース内にバーナの排気潜熱を回収する潜熱回収用熱交換器が設けられている燃焼装置の前記ケースの前面に、前記潜熱回収用熱交換器で発生するドレンを中和するドレン中和器の取り付け部材が固定され、該取り付け部材は前記ケースの下部側の位置において該ケースの前面に沿って左右方向に配設されてその先端側は前記ケースの左右いずれかの方向にケースからはみ出して伸設され、該はみ出し伸設部位に前記ドレン中和器が固定されている構成をもって課題を解決する手段としている。
【００１１】
また、第２の発明のドレン中和器の固定構造は、前記第１の発明の構成に加え、前記ドレン中和器には該ドレン中和器を取り付け部材に係止する係止部を備えた中和器固定板が固定され、該中和器固定板の前記係止部を前記取り付け部材に係止した状態で前記ドレン中和器が取り付け部材に固定されていることを特徴とする。
【００１２】
さらに、第３の発明のドレン中和器の固定構造は、前記第１または第２の発明の構成に加え、前記燃焼装置は浴室壁に形成された壁穴に設置されて該燃焼装置のケース前面側が前記浴室壁から浴室内に突出した状態で露出して配置されているものであり、ドレン中和器の取り付け部材は、その途中部が前記燃焼装置の設置されている浴室壁の壁穴形成壁面側に向けて折曲され、その折曲先端側は前記燃焼装置のケース前面よりも前記壁穴形成壁面側に近づいた引っ込み位置で該壁面に沿って伸設された壁面沿設部位と成し、該壁面沿設部位に前記ドレン中和器が取り付けられていることを特徴とする。
【００１３】
さらに、第４の発明のドレン中和器の固定構造は、前記第１または第２または第３の発明の構成に加え、前記はみ出し伸設部位の先端部には、該先端部から先にドレン中和器が移動することを防止するストッパが設けられていることを特徴とする。
【００１４】
さらに、第５の発明のドレン中和器の固定構造は、前記第１乃至第４のいずれか一つの発明の構成に加え、前記はみ出し伸設部位の下方側に伸延されて該はみ出し伸設部位を浴室床面に支持する支持部材が設けられており、該支持部材の前記浴室床面に当接する下端部には前記支持部材が浴室床面上で滑ることを防止する滑り防止が設けられていることを特徴とする。
【００１５】
さらに、第６の発明の浴室構造は、浴室壁に壁穴が形成され、該壁穴に燃焼装置が設置されて該燃焼装置のケース前面側は浴室内に露出させて配置され、前記ケース前面側を塞ぐ態様で浴槽が該ケース前面に近接して配置されており、前記第１乃至第５のいずれか一つ発明のドレン中和器の固定構造により前記燃焼装置に固定されたドレン中和器が前記浴槽と浴室壁面とにより形成されるデッドスペースに配置されていることを特徴とする。
【発明の効果】
【００１６】
本発明のドレン中和器の固定構造によれば、燃焼装置のケースの前面にドレン中和器の取り付け部材が固定され、該取り付け部材は前記ケースの下部側の位置において該ケースの前面に沿って左右方向に配設されて、その先端側がケースの左右いずれかの方向にケースからはみ出して伸設され、該はみ出し伸設部位に前記ドレン中和器が固定されているので、ドレン中和器を浴室壁に取り付ける場合と異なり、ドレン中和器の取り付け位置決めが容易であり、かつ、防水パンに誤ってねじを打ってしまって水漏れを生じさせるといった問題を防止することができる。また、ドレンホース等の配置も容易に行え、燃焼装置の近傍位置に、適切にドレン中和器を固定することができる。
【００１７】
また、本発明のドレン中和器の固定構造において、ドレン中和器には該ドレン中和器を取り付け部材に係止する係止部を備えた中和器固定板が固定され、該中和器固定板の前記係止部を前記取り付け部材に係止した状態で前記ドレン中和器が取り付け部材に固定されているものにおいては、中和器固定板の係止部を取り付け部材に係止した状態で、ドレン中和器を取り付け部材に固定することにより、より一層容易に、かつ、的確にドレン中和器を燃焼装置の近傍位置に固定することができる。
【００１８】
さらに、本発明のドレン中和器の固定構造において、燃焼装置は浴室壁に形成された壁穴に設置されて該燃焼装置のケース前面側が前記浴室壁から浴室内に突出した状態で露出して配置されているものであり、ドレン中和器の取り付け部材は、その途中部が前記燃焼装置の設置されている浴室壁の壁穴形成壁面側に向けて折曲され、その折曲先端側は前記燃焼装置のケース前面よりも前記壁穴形成壁面側に近づいた引っ込み位置で該壁面に沿って伸設された壁面沿設部位と成し、該壁面沿設部位に前記ドレン中和器が取り付けられているものにおいては、ドレン中和器を燃焼装置のケース前面よりも引っ込み位置に設けることができる。したがって、燃焼装置のケース前面に近接して配置される浴槽と浴室壁面とにより形成されるデットスペース（浴室壁面と浴槽との間）のドレン中和器の配置を適切に行うことができ、前記デットスペースの有効利用を図れる。
【００１９】
さらに、本発明のドレン中和器の固定構造において、前記はみ出し伸設部位の先端部には該先端部から先にドレン中和器が移動することを防止するストッパが設けられているものにおいては、ドレン中和器がはみ出し伸設部位の先に移動することをストッパにより防止するによって、ドレン中和器の固定作業を行い易くでき、ドレン中和器を適切に固定できる。
【００２０】
さらに、本発明のドレン中和器の固定構造において、前記はみ出し伸設部位の下方側に伸延されて該はみ出し伸設部位を浴室床面に支持する支持部材が設けられており、該支持部材の浴室床面に当接する下端部には前記支持部材が浴室床面上で滑ることを防止する滑り防止が設けられているものにおいては、滑り防止部材を設けることにより、支持部材を浴室床面に安定的に配設することができるので、ドレン中和器の重さがはみ出し伸設部位にかかっても、支持部材によりはみ出し伸設部位に適切に支持することができる。したがって、取り付け部材の燃焼装置への取り付け部に、ドレン中和器の重さによりかかる負担を減らすことができる。
【００２１】
さらに、本発明の浴室構造によれば、本発明のドレン中和器の固定構造を適用することにより、浴室の壁穴に設置された燃焼装置の前面側を塞ぐ態様で燃焼装置に近接して配置される浴槽と浴室壁面とにより形成されるデットスペースに、燃焼装置と近接してドレン中和器を配置でき、例えば燃焼装置の買い換え等により、浴室の壁穴に潜熱回収用熱交換器付きの燃焼装置を配置し、燃焼装置による燃焼効率の良好な燃焼とドレンの適切な中和および排出とを両立できる。
【００２２】
また、本発明の浴室構造は、本発明のドレン中和器の固定構造を用いることにより、浴室壁面にドレン中和器をねじ等により固定する必要がないために、ねじ等を誤って防水パンに打ってしまって、防水パンから水漏れが生じるといったおそれはなく、ドレン中和器を容易に、かつ、的確に燃焼装置に固定でき、さらに、燃焼装置で発生したドレンをドレン中和器に導くための、ドレンホース等の接続や配置も容易に、かつ、的確に行うことができる。
【発明を実施するための最良の形態】
【００２３】
以下、本発明の実施の形態を、図面を参照して説明する。なお、本実施形態例の説明において、これまでの説明に示した例と同一名称部分には同一符号を付し、その重複説明は省略又は簡略化する。
【００２４】
図１（ａ）には、本発明に係るドレン中和器の固定構造の第１実施形態例の構成が、浴室への配置状態で示されている。また、図１（ｂ）には、この固定構造が分解状態で示されている。これらの図に示すように、燃焼装置である給湯器１７は、浴室の外壁３９に形成された壁穴２２に設置されている。また、給湯器１７のケース４０の前面のフロントパネル２１は、浴室壁３９から浴室３０内に突出した状態で露出して配置されている。給湯器１７には、該給湯器１７のケース４０内に設けられた潜熱回収用熱交換器（図１には、図示せず）で発生するドレンを中和するドレン中和器３の取り付け部材３６が設けられている。
【００２５】
取り付け部材３６は、例えばステンレス等の金属製の板部材であり、前記ケース４０の下部側の位置において、フロントパネル２１の面に沿って左右方向に水平に配設されてねじ５２により固定されている。なお、取り付け部材３６の先端側を基端側よりも少し下側に傾けて配設してもよい。
【００２６】
取り付け部材３６は、その途中部が給湯器１７の設置されている浴室の外壁３９の壁穴形成壁面である浴室壁面３１側に向けて斜めに折曲され（折り曲げられ）ている。また、その折曲先端側は、ケース４０から右方向（向かって左方向）にはみ出したはみ出し伸設部位と成し、かつ、給湯器１７のフロントパネル２１よりも前記浴室壁面（壁穴形成壁面）３１側に近づいた引っ込み位置で、該壁面３１に沿って伸設された壁面沿設部位２と成している。そして、この壁面沿設部位２（はみ出し伸設部位３７）に、前記ドレン中和器３が固定され、ドレン中和器３は、浴室壁面３１に近接した位置に、前記フロントパネル２１と並ぶ態様で配置されている。
【００２７】
また、図２に示すように、ドレン中和器３には、該ドレン中和器３を取り付け部材３６に係止する係止部４５を備えた中和器固定板４６が、固定部２７でねじ５５により固定され、中和器固定板４６の係止部４５を前記取り付け部材３６に係止した状態で、前記はみ出し伸設部位３７に固定されている。このはみ出し伸設部位３７の先端部（右端部）には、図１に示すように、はみ出し伸設部位３７の先端部より先にドレン中和器３が移動することを防止するストッパ５３が形成されており、ドレン中和器３は、ストッパ５３によって、ストッパ５３より右方向の移動が防止され、ねじ５４によって前記はみ出し伸設部位３７に固定されている。
【００２８】
また、図３に示すように、給湯器１７で発生するドレンを、ドレン管４４からドレン中和器３に導くゴム製のドレンホース４７が、樹脂製のＬコネクタ４８を介して、給湯器１７とドレン中和器３とに接続されている。なお、Ｌコネクタ４８は、金属製としてもよい。給湯器１７とドレンホース４７との接続部と、ドレンホース４７とＬコネクタ４８との接続部と、ドレンホース４７とドレン中和器３との接続部には、それぞれ、金属製のホースクリップ５１が設けられている。
【００２９】
なお、本実施形態例は、図１に示したように、浴室壁としての外壁３９に形成された壁穴２２に、燃焼装置としての給湯器１７を設置し、前記フロントパネル２１を浴室３０内に突出させ、フロントパネル２１を浴室３０内に露出させて配置している。また、図４に示すように、フロントパネル２１側を塞ぐ態様で浴槽２６が該フロントパネル２１に近接して配置されており、給湯器１７に固定されたドレン中和器３が、浴槽２６と浴室壁面３１とにより形成されるデッドスペースＣに配置されている。
【００３０】
本実施形態例において、ドレン中和器３を給湯器１７に固定する作業は、例えば以下のようにして行われる。すなわち、予めドレン中和器３に中和器固定板４６をねじ５５により固定しておき、給湯器１７のフロントパネル２１には、取り付け部材３６をねじ５２で固定する。その後、取り付け部材３６の先端側のはみ出し伸設部位３７に、中和器固定板４６の係止部４５を係止して引っかけ、ねじ５４で中和器固定板４６をはみ出し伸設部位３７に固定することにより、ドレン中和器３を給湯器１７に固定する。また、その後、ドレンホース４７の接続を行う。
【００３１】
なお、本発明において、適用される給湯器１７やドレン中和器３の構成は特に限定されるものではないが、本実施形態例では、図４に示すような構成の給湯器１７と、図５に示すような構成のドレン中和器３を適用しており、以下、給湯器１７とドレン中和器３の構成を簡単に説明する。
【００３２】
給湯器１７は、その配管構成を省略した図４の模式図に示されるように、横方向の長さが縦方向の長さよりも長く形成されており、器具ケース４０内には燃焼室２０が設けられている。燃焼室２０内には、バーナ１と、バーナ１の上側に配置されてバーナ１の燃焼ガス中の顕熱を回収するメインの熱交換器（一次熱交換器）４と、このメインの熱交換器４よりも前記燃焼ガスの流れの下流側に位置をずらして並設配置された潜熱回収用熱交換器（二次熱交換器）６とが設けられている。潜熱回収用熱交換器６は、燃焼ガスの顕熱および潜熱を回収する。
【００３３】
また、バーナ１の燃焼の給排気を行なう燃焼ファン５が設けられており、前記バーナ１にはバーナ１に燃料を供給するガス管（図示せず）が接続されている。この給湯器１７は、燃焼ファン５の回転によって外部より吸気する空気を、図の矢印に示すように、送風室２５を介してバーナ１に送り、この空気と、前記ガス管を通って供給されるガスとによってバーナ燃焼を行う。このバーナ燃焼により生じた燃焼ガスは、燃焼ファン５の回転によって、燃焼室２０から排気口８側に送って排気される。
【００３４】
また、水供給源からの水が潜熱回収用熱交換器６に導かれ、この水が、潜熱回収用熱交換器６とメインの熱交換器４を順に通って加熱され、メインの熱交換器４の出口側に接続された給湯管（図示せず）を通して浴室３０内のシャワー４１の出湯口や台所等に導かれて給湯される。また、給湯管に浴槽２６への注湯通路を接続することにより、浴槽２６への自動湯張りが可能となり、追い焚き回路を設けることにより、浴槽湯水の追い焚きも可能となる。なお、バーナ１の燃焼と、燃焼ファン５の回転は、予め与えられたシーケンスプログラムにしたがって制御されるものであり、前記給湯や自動湯張り、追い焚き等の各動作については、周知であるので、その説明は省略する。
【００３５】
前記潜熱回収用熱交換器６による燃焼ガスの潜熱回収は、水蒸気を含んだ燃焼ガスを飽和温度以下の低温伝熱面に接触させて燃焼ガス中の水蒸気を凝縮させることにより行われる。すなわち、水蒸気が凝縮する際に発生する凝縮潜熱を回収するものであり、通常は、燃焼ガスとして給湯器１７等の燃焼系の外に排出されてしまう燃焼ガスの水蒸気の持つエンタルピーを回収するものである。
【００３６】
このように、潜熱回収用熱交換器６を備えた給湯器においては、バーナ１の燃焼による燃焼ガスが潜熱回収用熱交換器６を通るときに、潜熱回収用熱交換器６内の水管を通る水が、燃焼ガス中の水蒸気の保有潜熱を奪い、さらに、その水がメインの熱交換器４を通るときに、バーナ１の燃焼火力でもって加熱されて設定温度の湯が作り出される。
【００３７】
そのため、潜熱回収用熱交換器６を設けることにより、熱効率を向上させることができる。なお、潜熱回収用熱交換器６で発生するドレン（凝縮水の水滴）は、例えば受け皿４３にたまり、ドレン管４４を介して器具ケース４０の外部に排出され、ドレンホース４７等を介してドレン中和器３に導入される。
【００３８】
このドレン中和器３は、図５に示すように、ドレンを貯留するドレン貯留室１４を有しており、ポリプロピレン等の樹脂により形成されている。ドレン貯留室１４の一方側の側部がわには、ドレン貯留室１４にドレンを導入するドレン導入部１２が設けられており、ドレン貯留室１４の、ドレン導入部１２と反対側となる他方側の側部がわには、ドレン貯留室１４を通ったドレンを外部に排水するドレン排出部１３が設けられている。
【００３９】
ドレン導入部１２とドレン排出部１３は、共に、給湯器１７の下面よりも下側に配置されており、ドレン中和器３のドレン導入部１２が前記ドレンホース４７を介して給湯器１７と接続されている。図５の断面部分（図の左上端部）に示すように、ドレン貯留室１４には複数の固形の中和剤７が互いに隙間を介して充填されている。ドレンは、燃焼ガス中の窒素酸化物（ＮＯｘ）、硫黄酸化物（ＳＯｘ）等を含むため、ｐＨ２〜４の強酸性であるので、中和剤をドレンに混ぜて中和することが必要となる。本実施形態例では、炭酸カルシウムを粒状にしたものを中和剤７として適用しており、ドレンは、炭酸カルシウムと反応することで中性を示す硝酸カルシウムとなる。
【００４０】
ドレン貯留室１４は、前記ドレン導入部１２と前記ドレン排出部１３よりも高く上方に伸設された高位位置に設けられており、この伸設領域をドレン非通過領域１９と成している。また、ドレン貯留室１４は、ドレン導入部１２とドレン排出部１３よりも下側のドレン貯留室１４をドレン通過領域１８と成している。ドレン貯留室１４は、仕切り壁１１によって、水封室９と排水室１０とに仕切られ、水封室９と排水室１０は、その下端側の連通部１６で連通している。前記水封室９は、ドレン導入部１２からドレンと共にドレン貯留室１４側に流れてくる排気をドレンによって水封して前記ドレン排出部１３側に流れることを防ぐ排気の水封室と成している。
【００４１】
なお、本実施形態例では、前記の如く、排気の水封室を設けてドレン中和器３を形成しているが、給湯器１７等の燃焼装置側に、燃焼装置から排出されるドレンと共に流れる排気を水封するトラップを設けて排気の流出を防ぐ構成としたものにおいては、ドレン中和器３側に排気の水封室を設ける必要はない。この場合、例えば、仕切り壁１１の上端側に連通部を設け、本実施形態例の水封室９と排水室１０に対応するドレン貯留室１４の左右の室を、その下端側のみならず、上端側でも連通する構成としてもよい。
【００４２】
また、ドレン中和器３には、図４に示したように、ドレン排出部１３から排出するドレンを、管路２９を介して浴室排水口１５に導いたときに、浴室排水口１５の冠水により前記ドレン排出部１３が水封されたときでも、前記ドレンが前記ドレン貯留室１４の水封室９側からドレン導入部１２側に逆流することを防ぐために、図５に示す空気抜き穴２３を設けている。なお、図５の符号３２，３３，４２は凹壁部を、３４はドレン導入部１２とドレン貯留室１４との連通部位を、３５はドレン排出部１３とドレン貯留室１４との連通部位３５を、２８はドレンが通過できるが中和剤７は通れない広さの中和剤非充填ドレン通過領域２８をそれぞれ示している。また、図５の破線斜線部は、ドレン中和器３にドレンが導入されている状態例を示す。
【００４３】
また、ドレン中和器３の上端部には、中和剤７を詰めるときの入口部に、ゴム製キャップ３８を設けている。このキャップをねじ止めする構造とすると、ドレン中和器３のコストアップが生じるので、本実施形態例では、ゴム製キャップ３８を設けることによりドレン中和器３のコストアップを防いでいる。なお、一般に、ゴム製キャップ３８は、ねじ止めの構造よりも安定しにくいが、本実施形態例では、中和器固定板４６の上端部の面によってゴム製キャップ３８が的確に固定保持されるので、梱包状態における輸送時や設置時などにゴム製キャップ３８が容易に外れることはない。
【００４４】
本実施形態例は以上のように構成されており、ドレン中和器３を、取り付け部材３６を介して給湯器１７に固定しているので、ドレン中和器３を浴室壁に取り付ける場合と異なり、ドレン中和器３の取り付けの位置決めが容易であり、防水パンに誤ってねじを打ってしまって水漏れを生じさせるといった問題も防止することができ、ドレンホース４７の配置も容易に行え、的確に、給湯器１７の近傍位置にドレン中和器３を固定することができる。
【００４５】
また、本実施形態例では、取り付け部材３６の途中部を浴室壁面３１側に折り曲げ、その折り曲げ先端側を浴室壁面３１側に近づけた引っ込み位置として、浴室壁面３１に沿ってケース４０の右方向にケースからはみ出して伸設し、このはみ出し伸設部位３７（壁面沿設部位２）にドレン中和器３を固定することにより、ドレン中和器３を浴室壁面３１に近接した位置に設けることができる。そのため、ドレン中和器３を浴槽２６と浴室壁面３１との間のデッドスペースＣに適切に配置することができる。したがって、本実施形態例では、浴室３０内のデッドスペースＣを利用してドレン中和器３を配置可能な無駄のない浴室構造を容易に形成することができる。
【００４６】
図６（ａ）には、本発明に係るドレン中和器の固定構造の第２実施形態例の構成が示されており、図６（ｂ）には、この固定構造が分解状態で示されている。また、図７には、第２実施形態例におけるドレンホース４７の配置構成が示されている。なお、これらの図において、前記第１実施形態例と同一名称部分には同一符号が付してあり、その重複説明は省略または簡略化する。
【００４７】
第２実施形態例では、取り付け部材３６を、給湯器１７の左（向かって右）の方向にケース４０からはみ出して伸設し、このはみ出し伸設部位３７にドレン中和器３を固定している。つまり、第２実施形態例は、第１実施形態例とはほぼ左右対称に固定構造と成しており、ドレン中和器３の向きも第１実施形態例と反対としているが、その他の第２実施形態例の構成は第１実施形態例と同様に構成されており、同様の効果を奏することができる。
【００４８】
図８には、本発明に係るドレン中和器の固定構造の第３実施形態例の構成が斜視図により模式的に示されており、図９には、この固定構造において、ドレン中和器３とドレンチューブ４７を外した状態の構成が模式的に示されている。なお、これらの図において、前記第１、第２実施形態例と同一名称部分には同一符号が付してあり、その重複説明は省略または簡略化する。
【００４９】
第３実施形態例は、取り付け部材３６が、直線状に形成されたステンレス等の金属板３６ａと、基端側がＬ字形状に形成されたステンレス等の金属板３７ａとを有して構成されている。金属板３６ａは、給湯器１７側に固定されるケース側固定板であり、金属板３７ａは、その先端側に取り付けられて、ドレン中和器３を固定するための中和器側固定板である。図１０に示すように、金属板３６ａの先端側は、金属板３７ａの基端側のＬ字形状部位に挟まれる態様で配置されており、金属板３６ａは、ねじ穴６６，６７に螺合されたねじ５６により、金属板３７に固定されている。
【００５０】
また、金属板３７ａの基端側には、金属板３６ａを支持する支持部６２が設けられている。この支持部６２には、ねじ穴６３が形成されており、また、金属板３６ａには、その先端側（金属板３７ａ寄り）にねじ穴６４が形成されており、これらのねじ穴６３，６４に、ねじ５７が螺合されて、金属板３６ａが金属板３７ａの基端側に支持固定されている。なお、この配置によって、取り付け部材３６は、その先端側（金属板３７ａ側）が基端側（金属板３６ａ側）よりも浴室壁面３１側に近づいて配置されている。
【００５１】
また、第３実施形態例では、金属板３６ａの先端側と金属板３７ａが給湯器１７より右側（向かって左側）にはみ出してはみ出し伸設部位３７が形成されており、該はみ出し伸設部位３７の先端（金属板３７ａの先端）部の支持部材固定部７１には、下方側に伸延されてはみ出し伸設部位３７を浴室床面７２に支持する支持部材６０が、ねじ５８により固定されている。支持部材６０の前記浴室床面７２に当接する下端部には、支持部材６０が浴室床面７２上で滑ることを防止する滑り防止部材６１が設けられている。
【００５２】
本実施形態例において、滑り防止部材６１は、ゴム製の弾性部材により形成されており、このように、滑り防止部材６１に弾性部材を使用すれば、浴室床面７２の微妙な高さのばらつきを吸収することができ、振動などによるがたつきも防止できるため、浴室床面７２等を傷つけにくくなり、支持部材６０の位置が固定しやすくなるので好ましい。また、滑り防止部材６１は、耐水性や可塑性の溶出しにくい材料が好ましい。なお、滑り防止部材６１は、ゴム以外の弾性プラスチックでもよく、また、弾性部材でなくてもよい。
【００５３】
前記支持部材６０は、金属製の板部材により形成されており、支持部材６０の背板部６０ａには、長手方向（上下方向）に伸設されたスリット６９が形成されている。このスリット６９に前記ねじ５８が挿入された状態で、ねじ５８が前記ねじ穴６５に螺合することによって、支持部材６０の金属板３７ａよりも下方側に伸延される部分の長さを自在に調節した状態で、支持部材６０が支持部材固定部７１に固定されている。
【００５４】
また、図１１に示すように、ドレン中和器３には、該ドレン中和器３を取り付け部材３６の金属板３７ａに係止する係止部４５を備えた中和器固定板４６が、定部２７でねじ５５により固定されている。そして、図８に示したように、中和器固定板４６の係止部４５が金属板３７ａに係止し、ねじ５４によって金属板３７ａに固定されており、それにより、ドレン中和器３が金属板３７ａに固定されている。なお、金属板３７ａの先端側には、図９、図１０に示すように、ストッパ５３が形成され、ストッパ５３により右方向の移動が防止されており、ドレン中和器３を中和器固定板４６と共に金属板３７ａに係止したときに、ドレン中和器３の位置決めが容易に行われるようになっている。
【００５５】
なお、ドレン中和器３は、図１２に示すように、横長に形成されているが、このドレン中和器３の基本構成は、図５に示した縦長のドレン中和器３の基本構成と同様であるので、図５の例と同一名称部分には同一符号を付し、その重複説明は省略する。また、第３実施形態例において、ドレンホース４７の固定構造も前記第１実施形態例と同様の構成と成しており、その説明は省略する。
【００５６】
第３実施形態例は、以上のように構成されており、第３実施形態例も、前記第１、第２実施形態例と同様の効果を奏することができる。また、第３実施形態例は、支持部材６０を設けることにより、ドレン中和器３の固定をより安定した状態で行うことができる。
【００５７】
また、第３実施形態例では、ドレン中和器３の取り付け部材３６を、２つの金属板３６ａ，３７ａを用いて形成しているので、例えば給湯器１７の幅に対応させて、複数種の金属板３６ａを用意し、給湯器１７の側部側の浴室スペースの幅に対応させて、複数種の金属板３７ａを用意しておいて、これらの金属板３６ａ，３７ａを接続する構成とすると、給湯器１７や浴室スペースに合わせて、様々に対応することができる。
【００５８】
図１３には、第３実施形態例のドレン中和器の固定構造の変形例における取り付け部材３６の構成が平面図により示されている。同図に示す取り付け部材３６は、第３実施形態例に適用した取り付け部材３６と同様に、金属板３６ａ，３７ａを有して構成されているが、金属板３７ａの基端側のＬ字形状部位に、ねじ穴６６の代わりに、クランク状のスリット７０を形成している。
【００５９】
この例は、金属板３７ａにクランク状のスリット７０を形成することにより、以下のようなメリットがある。つまり、取り付け部材３６を給湯器１７等の燃焼装置に取り付ける前には、図１４（ａ）に示すように、取り付け部材３６を折りたたんだ状態（金属板３６ａと金属板３７ａとを重ねて配置した状態）とし、取り付け部材３６を給湯器１７等に取り付ける場合には、図１４（ｂ）〜（ｄ）に順に示すように、取り付け部材３６を開いていくことにより、取り付け部材３６の組み立てを容易に行うことができる。
【００６０】
なお、この取り付け部材３６の組み立ては、例えば以下のようにして行う。まず、図１４（ａ）に示すように、スリット７０のＡの位置に螺合しているねじ５６を緩めて、図１４（ｂ）に示すように、ねじ５６の位置がスリット７０のＢの位置になるように、金属板３６ａをスライド移動していき、スリット７０のＢの位置のねじ５６を支点として金属板３６ａを回転させる。そして、図１４（ｂ）の破線Ｌに示すように、金属板３７ａと金属板３６ａとの成す角度が９０度になるようにしてから、図１４（ｃ）に示すように、ねじ５６の位置がスリット７０のＣの位置になるように、金属板３６ａを移動させる。
【００６１】
さらに、ねじ５６の位置がスリット７０のＤの位置になるように、金属板３６ａをスライド移動させ、図１４（ｄ）に示すように、スリット７０のＤの位置のねじ５６を支点として金属板３６ａを回転させていく。そして、図１４（ｄ）の破線Ｍに示すように、金属板３７ａと金属板３６ａとの成す角度が１８０度になるようにする。このようにすることで、図１３に示したように、金属板３６ａと金属板３７ａの直線部位とを平行にすることができ、この位置で、ねじ５８を締め直して、金属板３６ａ，３７ａを固定する。また、支持部６２のねじ穴６３と、金属板３６ａのねじ穴６４とに、ねじ５７を螺合させる。
【００６２】
なお、引っ越し等による燃焼装置の移動等に伴い、取り付け部材３６を燃焼装置から取り外して収納する際には、前記の手順と逆の手順により、図１４（ａ）に示すように戻し、収納することができる。
【００６３】
次に、第４実施形態例について説明する。図１５には、本発明に係るドレン中和器の固定構造の第４実施形態例の構成が斜視図により示されており、図１６には、第４実施形態例におけるドレンホース４７の配置構成が示されている。これらの図において、前記第１〜第３実施形態例と同一名称部分には同一符号が付してあり、その重複説明は省略または簡略化する。
【００６４】
第４実施形態例は、第３実施形態例とはほぼ左右対称の固定構造と成しており、第４実施形態例では、取り付け部材３６を、給湯器１７の左（向かって右）の方向にケース４０からはみ出して伸設し、このはみ出し伸設部位３７にドレン中和器３を固定している。つまり、ドレン中和器３の向きも第３実施形態例と反対としているが、その他の第４実施形態例の構成は第３実施形態例と同様に構成されており、同様の効果を奏することができる。
【００６５】
また、第４実施形態例でも、前記第３実施形態例の変形例を、左右対称にして適用することができ、その場合は、前記変形例と同様の効果を奏することができる。
【００６６】
なお、本発明は前記各実施形態例に限定されることはなく、様々な態様を採り得る。例えば、前記各実施形態例では、いずれも、取り付け部材３６は、その先端側を基端側よりも浴室壁面３１側に近づけて配置したが、取り付け部材３６の取り付け態様は、特に限定されるものではなく、適宜設定されるものである。つまり、給湯器１７と浴槽２６との配設状態に対応させて、ケース４０の下部側の位置において該ケース４０の前面に沿って左右方向に配設し、その先端側をケース４０の左右いずれかの方向にケースからはみ出して伸設することにより、給湯器１７の近傍位置に適切にドレン中和器３を固定できる。
【００６７】
また、前記各実施形態例では、いずれも、ドレン中和器３に中和器固定板４６をねじ５５により固定し、中和器固定板４６を取り付け部材３６の先端側のはみ出し伸設部位３７に係止部４５を係止して引っかけてドレン中和器３を取り付け部材３６のはみ出し伸設部位３７に固定したが、ドレン中和器３のはみ出し伸設部位３７への固定構造は特に限定されるものではなく、例えば中和器固定板４６を設けずに、ドレン中和器３を直接、はみ出し伸設部位３７に固定してもよい。
【００６８】
さらに、前記各実施形態例におけるはみ出し伸設部位３７に設けたストッパ５３は省略することもできる。
【００６９】
さらに、前記第３、第４実施形態例のように、支持部材６０を設ける場合に、その下端に設ける滑り防止部材６１は、図１７に示すように、支持部材６０に対して斜めに傾けて設ける態様としてもよい。このような配置態様は、同図に示すように、浴室３０の壁部の下端側が大きく斜めに傾いて形成されている場合には、ドレン中和器３の固定構造を、ドレン中和器３をより安定して固定できる構造とすることができる。
【００７０】
さらに、前記第３、第４実施形態例では、はみ出し伸設部位３７の先端（金属板３７ａの先端）部に、下方側に伸延された支持部材６０を設けたが、ドレン中和器３の取り付け位置によっては、支持部材６０を、はみ出し伸設部位３７の先端部ではなく、はみ出し伸設部位３７の途中部に設けてもよい。
【００７１】
さらに、前記第３、第４実施形態例では、支持部材６０を設けたが、支持部材８０を設けない態様とすることもできる。また、第１、第２実施形態例に、支持部材６０を設ける態様とすることもできる。
【００７２】
さらに、ドレン取り付け部材３６を、図１４に示すような態様とする場合に、クランク状の溝７０を形成する代わりに、別途、回転軸を設定して、ビス穴の幅で円弧を描くような溝を一つ以上形成してもよい。さらに、ドレン取り付け部材３６は、複数の曲がり部分を有する構成としてもよい。
【００７３】
さらに、前記実施形態例では、取り付け部材３６や中和器固定板４６や支持部材６０は金属製としたが、取り付け部材３６や中和器固定板４６や支持部材６０は、金属以外の樹脂等により形成してもよく、その形状も適宜設定されるものである。
【００７４】
さらに、前記第１、第２実施形態例では、図５に示したようなドレン中和器３を、図４に示したような給湯器１７に固定する例を述べ、前記第３、第４実施形態例では、図１１に示したようなドレン中和器３を給湯器１７に固定する例を述べたが、本発明のドレン中和器の固定構造を適用するドレン中和器や、そのドレン中和器を固定する燃焼装置は特に限定されるものでなく、適宜設定されるものである。
【００７５】
例えば燃焼装置は、風呂釜や、給湯器と風呂釜の両方の機能を備えた複合給湯器等、潜熱回収用熱交換器を備えて、ドレンを発生する適宜の燃焼装置を適用することができ、その燃焼方式も石油燃焼式でもよく、様々な燃焼装置にドレン中和器３を接続してドレン中和器の固定構造を形成することができる。
【図面の簡単な説明】
【００７６】
【図１】本発明に係るドレン中和器の固定構造の第１実施形態例を浴室への配置状態で模式的に示す説明図である。
【図２】第１実施形態例におけるドレン中和器の中和器固定板への固定構造を模式的に示す説明図である。
【図３】第１実施形態例におけるドレン中和器とドレンホースの接続構造を示す説明図である。
【図４】ドレン中和器を接続する給湯器の構成をドレン中和器と共に模式的に示す説明図である。
【図５】本発明のドレン中和器の固定構造に適用されるドレン中和器の一例を示す説明図である。
【図６】本発明に係るドレン中和器の固定構造の第２実施形態例を浴室への配置状態で模式的に示す説明図である。
【図７】第２実施形態例におけるドレン中和器とドレンホースの接続構造を示す説明図である。
【図８】本発明に係るドレン中和器の固定構造の第３実施形態例を浴室への配置状態で模式的に示す説明図である。
【図９】第３実施形態例のドレン中和器の固定構造において、ドレン中和器を外した状態を示す説明図である。
【図１０】第３実施形態例のドレン中和器の固定構造における取り付け部材と支持部材の固定構造を説明するための図である。
【図１１】第３実施形態例におけるドレン中和器の中和器固定板への固定構造を模式的に示す説明図である。
【図１２】第３実施形態例におけるドレン中和器とドレンホースの接続構造を示す説明図である。
【図１３】第３実施形態例の取り付け部材の変形例を示す説明図である。
【図１４】図１３に示した取り付け部材の組み立て構造を示す説明図である。
【図１５】第４実施形態例におけるドレン中和器の中和器固定板への固定構造を模式的に示す説明図である。
【図１６】第４実施形態例におけるドレン中和器とドレンホースの接続構造を示す説明図である。
【図１７】本発明のドレン中和器の固定構造に適用される支持部材と滑り防止部材の配置構成例を示す説明図である。
【図１８】給湯器にドレン中和器を接続して浴室内に配置する構成を説明するための模式図である。
【図１９】浴室内にバランス風呂釜と浴槽とを並設した浴室構造例の断面説明図である。
【符号の説明】
【００７７】
１  バーナ
２  壁面沿設部位
３  ドレン中和器
４  メインの熱交換器
５  燃焼ファン
６  潜熱回収用熱交換器
１２  ドレン導入部
１３  ドレン排出部
１７  給湯器
２２  壁穴
３０  浴室
３１  浴室壁面
３６  取り付け部材
３６ａ，３７ａ  金属板
３７  はみ出し伸設部位
３９  外壁
４５  係止部
４６  中和器固定板
４７  ドレンホース
５３  ストッパ
６０  支持部材
６１  滑り防止部材
【図１】
2008275296.tif 000003
【図２】
2008275296.tif 000004
【図３】
2008275296.tif 000005
【図４】
2008275296.tif 000006
【図５】
2008275296.tif 000007
【図６】
2008275296.tif 000008
【図７】
2008275296.tif 000009
【図８】
2008275296.tif 000010
【図９】
2008275296.tif 000011
【図１０】
2008275296.tif 000012
【図１１】
2008275296.tif 000013
【図１２】
2008275296.tif 000014
【図１３】
2008275296.tif 000015
【図１４】
2008275296.tif 000016
【図１５】
2008275296.tif 000017
【図１６】
2008275296.tif 000018
【図１７】
2008275296.tif 000019
【図１８】
2008275296.tif 000020
【図１９】
2008275296.tif 000021